(57)【特許請求の範囲】
【請求項１】
トレミー管と、
前記トレミー管に取付けられた、鋼製部材を用いたかごの底部を押さえるための押さえ部材と、
を有し、
スライムの吸引口を、前記押さえ部材で前記かごの底部を押さえる場合の前記押さえ部材の押さえ面の位置より下方とできることを特徴とするトレミー管構造。
【請求項２】
前記押さえ部材は、前記トレミー管の軸方向に沿って配置した板材であることを特徴とする請求項１に記載のトレミー管構造。
【請求項３】
前記トレミー管の下端が前記押さえ面の位置より下方にあり、
前記トレミー管の下端が前記スライムの吸引口として機能することを特徴とする請求項１または請求項２記載のトレミー管構造。
【請求項４】
前記トレミー管の下端部に、スライド管が昇降可能に外嵌され、
前記トレミー管の側面に開口が設けられ、前記スライド管の昇降により前記開口が開閉することを特徴とする請求項３記載のトレミー管構造。
【請求項５】
前記トレミー管の下端部に、スライド管が昇降可能に外嵌され、
前記スライド管の下端が前記スライムの吸引口として機能することを特徴とする請求項１または請求項２記載のトレミー管構造。
【請求項６】
前記トレミー管に、下端に可撓管を設けたパイプが挿入され、
前記可撓管の端部が前記スライムの吸引口として機能することを特徴とする請求項１または請求項２記載のトレミー管構造。
【請求項７】
前記パイプは回転可能な接続部を介して吸引ポンプと接続されることを特徴とする請求項６記載のトレミー管構造。
【請求項８】
前記トレミー管の下端が前記押さえ面の位置より上方にあることを特徴とする請求項５から請求項７のいずれかに記載のトレミー管構造。
【請求項９】
前記押さえ部材は移動可能であり、前記トレミー管の側面に沿った状態、および前記トレミー管の側方へ跳ね上がった状態とできることを特徴とする請求項２に記載のトレミー管構造。
【請求項１０】
請求項１から請求項９のいずれかに記載のトレミー管構造を利用した杭の施工方法であって、
地盤に孔を形成し、前記孔に鋼製部材を用いたかごを挿入する工程と、
前記トレミー管を前記かごに挿入し、前記吸引口が前記かごの底部より下方に位置する状態で、前記孔の底部のスライムを吸引する工程と、
前記押さえ部材で前記かごの底部を押さえた状態で、前記トレミー管からコンクリートを打設する工程と、
を有する杭の施工方法。
【発明の詳細な説明】
【技術分野】
【０００１】
本発明は、トレミー管構造および杭の施工方法に関する。
【背景技術】
【０００２】
通常の場所打ち杭の施工では、地盤に形成した孔内へ鉄筋かごの建込みを行った後、コンクリートの打込み（打設）前に泥水中の2次スライム処理を行っている（例えば、特許文献１−４参照）。杭の沈下は周辺地盤の緩みと孔底のスライムの堆積に起因するところが大きく、鉄道構造物のように沈下が厳しく制限される場合もあり、場所打ち杭工法の施工における2次スライム処理は重要である。
【０００３】
この2次スライム処理には、(a)トレミー管を用いて孔底に沈降したスライムを水中ポンプまたはエアーリフト方式により孔外に吸引排除する方法、あるいは(b)撹拌翼または安定液を噴射する管などを使用して強制的に沈降スライムを撹拌して浮遊させ、堆積させない方法などがある。確実にスライムを除去するには、(a)の方法でスライムを泥水と一緒に吸引し、排出した分だけ良液を坑口より補充する(良液置換と呼ばれている)方法が望ましい。
【０００４】
コンクリートの打込みは、トレミー管内に泥水が侵入しないようにトレミー管内にプランジャを挿入してからコンクリートを流し込み、コンクリートの重量でプランジャを押し下げつつコンクリートをトレミー管下端まで送り、トレミー管下端から排出することで行われる。この際プランジャは孔底に排出され、孔底のコンクリート中に残置される。このように、2次スライム処理とコンクリートの打込みは、同じトレミー管を用いて行う。
【先行技術文献】
【特許文献】
【０００５】
【特許文献１】特開2001−98549号公報
【特許文献２】特開2009−36010号公報
【特許文献３】特開昭61−179922号公報
【特許文献４】特開平3−194015号公報
【発明の概要】
【発明が解決しようとする課題】
【０００６】
鉄筋かごは、一般的に軸方向鉄筋と帯鉄筋を組み合わせた円筒状の形状を有し、底部には、鉄筋かごの形状保持と孔底への鉄筋かごのめり込みを防止するために杭底鉄筋あるいは底部鉄筋と呼ばれる鉄筋が設けられる。この鉄筋は、一般に、井桁状あるいはそれを45度方向にずらした2組を重ねたものなどが用いられる。
【０００７】
図１１に示すように、コンクリート５００の打込みの最初において、コンクリート５００は、矢印に示すように鉛直下向きに流れてトレミー管１００の下端から排出された後、孔２００の底部から上向きに流動する。その際、かご３００の底部の鉄筋３０１がコンクリート５００の流動を阻害するために、コンクリート５００がかご３００を持ち上げ、いわゆるかご３００の浮上りが生じてしまうことがある。
【０００８】
さらに、孔の掘削は、完成後の杭によって十分な支持力が得られるように所定の深度まで行い、さらに支持層となる層を杭径程度掘削して完了となる。この状態だとかご底部は孔底上に配置すればよいが、施工においてはさらに余裕をもって掘削することが多く、また所定の深度まで掘削しても想定していた支持層と確認できる地質に達していないと判断された場合は、支持層に達するまでさらに掘削する。こうした結果、かご底部は孔底からある程度浮いた位置となり、鉄筋かごを泥水中に吊った状態で2次スライム処理とコンクリートの打込みを行うこととなる。
【０００９】
トレミー管下端からスライムを吸引できる範囲はせいぜい管先端の近傍に限られるため、こうした状況において、例えばトレミー管下端がかご底部にある状態で2次スライム処理を行っても、孔底に堆積したスライムを十分吸引排除することは不可能である。現状の技術では、杭の施工管理において吸引排除したスライムの量を直接測定することは困難であり、こうした状況ではスライムの吸引量が十分でないことにより完成後の杭の支持力不足を招く恐れがある。
【００１０】
本発明は上記の問題に鑑みてなされたものであり、杭の施工の際に、コンクリート打設時のかごの浮上りを防止し、かつスライム処理を合理的に行うことができるトレミー管構造等を提供することを目的とする。
【課題を解決するための手段】
【００１１】
前述した課題を解決するための第１の発明は、トレミー管と、前記トレミー管に取付けられた、鋼製部材を用いたかごの底部を押さえるための押さえ部材と、を有し、スライムの吸引口を、前記押さえ部材で前記かごの底部を押さえる場合の前記押さえ部材の押さえ面の位置より下方とできることを特徴とするトレミー管構造である。
【００１２】
本発明では、押さえ部材によりかご底部を押さえてトレミー管の重量を預けることができ、トレミー管から孔底へコンクリートを打設する時にかごの浮き上がりを防止できる。またスライムの吸引口を少なくとも押さえ部材でかご底部を押さえる場合の押さえ面の位置（かご底部に相当する位置）より下方としうる構造を提供することにより、当該吸引口を孔底近傍に配置し2次スライム処理を確実に行うことできる。
【００１３】
前記押さえ部材は、前記トレミー管の軸方向に沿って配置した板材であることが望ましい。
最初に所定の打上がり高さまでコンクリートを打ち込んだ後、トレミー管を引き上げて再度コンクリートを打設するが、押さえ部材として上記のように配置された板材を用いることにより、トレミー管の引き上げが打設済みのコンクリートによって阻害されない。
【００１４】
例えば、前記トレミー管の下端は前記押さえ面の位置より下方にあり、前記トレミー管の下端が前記スライムの吸引口として機能する。この際、前記トレミー管の下端部に、スライド管が昇降可能に外嵌され、前記トレミー管の側面に開口が設けられ、前記スライド管の昇降により前記開口が開閉することが望ましい。
このように、トレミー管の下端を押さえ部材の押さえ面の位置よりも下方に位置させて、これをスライムの吸引口として孔底近傍からスライムの吸引を確実に行うことできる。また、トレミー管の側面に上記した開口を設けておくことで、コンクリート打設時にトレミー管の下端からプランジャがうまく排出できない場合にも、スライド管の移動によりトレミー管の側面の開口を露出させてこの開口からコンクリートの排出が可能である。
【００１５】
また、前記トレミー管の下端部に、スライド管が昇降可能に外嵌され、前記スライド管の下端が前記スライムの吸引口として機能することも望ましい。
この場合、スライド管を下降させてその下端をスライムの吸引口とし、孔底近傍からスライムの吸引ができる。またスライド管を上昇させれば、かご底部を押さえ部材で押えた状態でトレミー管の下端からコンクリートの打設を行うことができる。
【００１６】
前記トレミー管に、下端に可撓管を設けたパイプが挿入され、前記可撓管の端部が前記スライムの吸引口として機能することも望ましい。この際、前記パイプは回転可能な接続部を介して吸引ポンプと接続されることが望ましい。
この場合、トレミー管に挿入されたパイプの下端の可撓管の先端をスライムの吸引口とし、孔底近傍からスライムの吸引ができる。パイプ等を撤去すれば、かご底部を押さえ部材で押えた状態でトレミー管の下端からコンクリートの打設を行うことができる。また回転可能な接続部を介してパイプと吸引ポンプを接続することで、パイプと吸引ポンプを接続した状態で、パイプを回転させて可撓管を孔底で移動させ、まんべんなくスライムの吸引を行うことができる。
【００１７】
前記トレミー管の下端が前記押さえ面の位置より上方にあることが望ましい。
これにより、かご底部より上方からコンクリートの排出を行うことができ、かごの浮き上がり防止に寄与するとともに、プランジャが好適に排出できる。
【００１８】
前記押さえ部材は移動可能であり、前記トレミー管の側面に沿った状態、および前記トレミー管の側方へ跳ね上がった状態とできることが望ましい。
押さえ部材を移動可能とし、コンクリート打設時にはトレミー管の側方へ跳ね上がった状態としてかごの底部を押さえ、トレミー管の引き上げ時にはトレミー管の側面に沿った状態とすれば、トレミー管の引き上げはよりスムーズにできる。
【００１９】
第２の発明は、第１の発明のトレミー管構造を利用した杭の施工方法であって、地盤に孔を形成し、前記孔に鋼製部材を用いたかごを挿入する工程と、前記トレミー管を前記かごに挿入し、前記吸引口が前記かごの底部より下方に位置する状態で、前記孔の底部のスライムを吸引する工程と、前記押さえ部材で前記かごの底部を押さえた状態で、前記トレミー管からコンクリートを打設する工程と、を有する杭の施工方法である。
【発明の効果】
【００２０】
本発明により、杭の施工の際に、コンクリート打設時のかごの浮上りを防止し、かつスライム処理を合理的に行うことができるトレミー管構造等を提供することができる。
【図面の簡単な説明】
【００２１】
【図１】トレミー管構造１を示す図
【図２】杭の施工方法を示す図
【図３】杭の施工方法を示す図
【図４】かご底部の鋼材３１を示す図
【図５】トレミー管１０の下端部付近を示す図
【図６】トレミー管１０の下端部付近を示す図
【図７】トレミー管構造１ａを示す図
【図８】トレミー管１０の下端部付近を示す図
【図９】トレミー管構造１ｂを示す図
【図１０】トレミー管１０の下端部付近を示す図
【図１１】かご３００の浮き上がりを示す図
【発明を実施するための形態】
【００２２】
以下、図面に基づいて本発明の好適な実施形態について詳細に説明する。
【００２３】
[第１の実施形態]
（１．トレミー管構造１）
図１（ａ）は本発明の第１の実施形態に係るトレミー管構造１を示す図である。図１（ａ）に示すように、本実施形態のトレミー管構造１では、トレミー管１０の下端部に、スライド管１１と翼板１２が設けられる。
【００２４】
スライド管１１はトレミー管１０に外嵌され、周方向において翼板１２を避けた位置に、下方へと延びる目隠し板１１０を有する。スライド管１１はトレミー管１０の軸方向に沿って昇降可能であり、スライド管１１には上方に延びるワイヤー１３ａが昇降用に取り付けられている。トレミー管構造１による杭の施工時、このワイヤー１３ａは、後述する地盤の孔（図２（ａ）等の２１参照）の頂部（坑口）まで延びているものとする。
【００２５】
翼板１２（押さえ部材）は略三角形の安定翼形状を有する板材である。翼板１２はトレミー管１０の外周に沿って少なくとも２枚設けられる。本実施形態では４枚の翼板１２がトレミー管１０の周方向に等間隔（９０°間隔）で設けられる。各翼板１２は、トレミー管１０の軸方向に沿って配置され、上端部がトレミー管１０の側面にピン接合によって取り付けられる。また各翼板１２はワイヤー１３ｂによってスライド管１１に接続される。
【００２６】
ワイヤー１３ａを緩めた状態では、図１（ａ）に示すようにスライド管１１がトレミー管１０の下端にあり、翼板１２がトレミー管１０の側面に沿って配置された（閉じた）状態となっている。
【００２７】
一方、ワイヤー１３ａを上方から引張ると、図１（ｂ）に示すようにスライド管１１が上昇し、これに伴い翼板１２がワイヤー１３ｂに引張られ、トレミー管１０の側方に跳ね上がった状態となる。本実施形態では、この時の翼板１２の下面１２１（押さえ面）で後述するかご（図２（ｂ）等の３０参照）の底部を押さえることができ、トレミー管１０の下端はこの押さえ面１２１の位置より下にある。
【００２８】
翼板１２はピン１２０の位置を中心として約90度の角度で回転移動し、図１（ｂ）の状態からはそれ以上回転しないように取り付けられている。ワイヤー１３ａを緩めるとスライド管１１が下降し、これに伴いワイヤー１３ｂが緩み翼板１２が逆方向に回転移動して図１（ａ）の状態に戻る。
【００２９】
なお、翼板１２を図１（ｂ）に示すように跳ね上げた際、トレミー管１０の中心に関し対称となる位置にある一対の翼板１２の外側の端部同士の間隔Ｄは、後述するかご底部の縦あるいは横に並んだ鋼材（図４の３１参照）の間隔よりも大きく設定する。
【００３０】
トレミー管１０の下端部の側面では、コンクリートが排出できる開口１０１が前記の押さえ面１２１より下方に設けられており、図１（ａ）に示すようにワイヤー１３ａが緩んでスライド管１１が下降した状態では目隠し板１１０により塞がれて（閉じられて）いるが、図１（ｂ）に示すようにスライド管１１を上昇させると露出される（開く）ようになっている。本実施形態では、開口１０１がトレミー管１０の中心に関して対称に２箇所配置され、その合計の開口面積はトレミー管１０の断面積とほぼ等しいかそれ以上である。ただし、開口１０１を省略することもできる。
【００３１】
（２．杭の施工方法）
次に、図２、３等を参照して本実施形態に係る杭の施工方法について説明する。本実施形態では、まず図２（ａ）に示すように地盤２０を掘削して孔２１を形成する。孔２１には掘削に伴う泥水２２が存在する。
【００３２】
孔底のスライムの1次処理を行った後、図２（ｂ）に示すように鉄筋等の鋼製部材によるかご３０を孔２１内に挿入して配置する。かご３０の上端部は坑口で支持され、かご３０の底部は孔底より上方に位置する。かご３０の底部では、図４に示すように鋼板や鉄筋等の鋼材３１が縦横に井桁状に配置され、少なくともその中央部には図１（ａ）に示したトレミー管１０の下端部を挿通できるだけの開口が存在する。
【００３３】
図２（ｃ）に示すようにトレミー管１０をかご３０内に挿入し、トレミー管１０の下端を、かご底部の鋼材３１の間からかご底部の下方へと突出させ、孔底近傍に配置する。この状態のトレミー管１０の下端部付近を示すのが図５（ａ）であり、ワイヤー１３ａが緩んだ状態（図１（ａ）参照）でトレミー管１０がセットされる。
【００３４】
この状態で、トレミー管１０を用いて2次スライム処理を行う。すなわち、トレミー管１０の上端部に吸引ポンプ（不図示）等を接続し、トレミー管１０の下端から孔底のスライムを吸い上げる。
【００３５】
数か所に分けてスライムの吸引を行いスライムを可能な限り排除した後、トレミー管１０の下端をかご底部の上方まで引き上げ、ワイヤー１３ａを坑口から引張り図１（ｂ）に示したようにスライド管１１を上昇させるとともに翼板１２をトレミー管１０の側方に跳ね上げる。
【００３６】
この状態で再度トレミー管１０を吊り下ろし、図２（ｄ）に示すように翼板１２をかご底部の鋼材３１に乗せてトレミー管１０の重量をかご底部に預ける。この状態のトレミー管１０の下端部付近を示すのが図５（ｂ）であり、トレミー管１０の下端がかご底部より下方にあり、トレミー管１０の側面の開口１０１が開いた状態となっている。この開口１０１も同じくかご底部より下方にある。
【００３７】
この後、トレミー管１０内にプランジャを装着し、ワイヤー１３ａを引張ったまま、スライムが再び堆積する前にコンクリートの打込みを開始する。かご底部にトレミー管１０の重量を預けてコンクリートを打ち込むため、かご３０の浮き上がりは防止される。
【００３８】
コンクリートの打設に伴い、図６（ａ）に示すようにプランジャ４０はトレミー管１０の下端から抜けて孔底に排出され、コンクリートはトレミー管１０の下端と側面の開口１０１の両方から排出される。例えばトレミー管１０の下端と孔底の間隔が小さくトレミー管１０の下端からプランジャ４０が排出できない場合も、コンクリートはトレミー管１０の側面の開口１０１から問題なく排出できる。図６（ａ）のようにプランジャ４０が排出できる場合では、図６（ｂ）に示すようにワイヤー１３ａを緩めてスライド管１１を下げ、目隠し板１１０により開口１０１を塞いでトレミー管１０の下端のみからコンクリートの打設を行ってもよい。
【００３９】
トレミー管１０の下端あるいは開口１０１はかご底部より下にあるので、コンクリートを孔底に直に流し込むことができ、泥水２２の混入を最小限にできる。またコンクリートがかご底部の鋼材３１に直接流動して当たると反力でトレミー管１０が浮いたり、ずれたりしてしまう恐れがあるが、この例ではそのような問題が生じない。
【００４０】
こうして図３（ａ）に示すようにかご底部の上方の所定の打上がり高さ（例えば孔底から4m程度）までコンクリート５０を打ち込んだ後、トレミー管１０を引き上げ、図３（ｂ）に示すようにトレミー管１０の下端がコンクリート５０の上面付近に2m程度埋まった状態とする。トレミー管１０の引き上げ時にワイヤー１３ａを緩めておくと、翼板１２が閉じてコンクリート５０による引き上げ抵抗が小さくなり、トレミー管１０の引き上げがスムーズにできる。
【００４１】
この後は通常どおり、トレミー管１０によるコンクリート打設と上記したトレミー管１０の引き上げを繰り返す。既にかご底部がコンクリート５０に埋まった状態なのでかご３０の浮き上がりも心配する必要は無い。こうして図３（ｃ）に示すように所定高さまでコンクリート５０を打ち込んだらコンクリート５０の打設作業を終了する。
【００４２】
なお、上記の例では翼板１２を回転移動可能としたが、図１（ｂ）に示したような配置で翼板１２をトレミー管１０に予め固定してもよい。この場合でも、2次スライム処理時にトレミー管１０を図６（ｂ）と略同様の配置として孔底近傍にあるトレミー管１０の下端からスライムの吸引ができる。ただし、前記のように翼板１２が移動可能であると、2次スライム処理時に図５（ａ）に示すように翼板１２を閉じてトレミー管１０を鋼材３１の間に通すことで、トレミー管１０の下端をより深い位置とできる。
【００４３】
以上説明したように、本実施形態によれば、翼板１２でかご３０の底部を押さえトレミー管１０の重量を預けることができ、トレミー管１０から孔底へコンクリートを打設する時に、かご３０の浮き上がりを防止することができる。またトレミー管１０の下端を少なくとも翼板１２でかご底部を押さえる場合の押さえ面１２１（かご底部に相当する位置）より下方とし、これをスライムの吸引口として孔底近傍からスライムの吸引を確実に行うことができ、トレミー管１０の下端から孔底まで離隔があるため十分にスライムを吸引できない、といったことはない。
【００４４】
また、かご底部の押さえ部材としてトレミー管１０の軸方向に沿って配置された翼板１２を用いることで、図３（ｂ）に示したようにトレミー管１０を引き上げる際、トレミー管１０の引き上げが打設済みのコンクリート５０によって阻害されない。また翼板１２を移動可能とし、コンクリート打設時にはトレミー管１０の側方へ跳ね上がった状態としてかご底部を押さえ、トレミー管１０の引き上げ時にはトレミー管１０の側面に沿った状態とすれば、トレミー管の引き上げはよりスムーズにできる。
【００４５】
また、トレミー管１０の側面に前記した開口１０１を設けておくことで、コンクリート打設時にトレミー管１０の下端からプランジャ４０がうまく排出できない場合にも、スライド管１１の移動によりトレミー管１０の側面の開口１０１を露出させてこの開口１０１からコンクリート５０の排出が可能である。
【００４６】
しかしながら、本発明がこれに限ることはない。例えば、トレミー管１０の開口１０１は翼板１２の押さえ面１２１よりも上方に設けることもでき、この場合はかご底部より上方からコンクリート５０の排出を行うことができるので、コンクリート打設時に孔底から上方へと流動するコンクリートの量が減り、かご３０の浮き上がり防止に寄与する。さらに、スライド管１１や開口１０１を省略することもできる。この場合、翼板１２はワイヤー等を用いて直接坑口から操作すればよい。
【００４７】
以下、本発明の別の例について第２、第３の実施形態として説明する。各実施形態は第１の実施形態と異なる点について説明し、同様の点については図等で同じ符号を付すなどして説明を省略する。
【００４８】
［第２の実施形態］
（１．トレミー管構造１ａ）
図７（ａ）は第２の実施形態に係るトレミー管構造１ａを示す図である。図７（ａ）に示すように、第２の実施形態のトレミー管構造１ａでは、トレミー管１０の下端に、スライド管１１ａと翼板１２ａが設けられる。
【００４９】
スライド管１１ａはトレミー管１０に外嵌され、周方向において翼板１２ａと対応する位置に、下端から上方に延びるスリット１１１を有する。スライド管１１ａはトレミー管１０に沿って昇降可能であり、スライド管１１ａには上方に延びるワイヤー１３ａが昇降用に取り付けられている。トレミー管構造１ａによる杭の施工時、このワイヤー１３ａは坑口まで延びている。
【００５０】
翼板１２ａは略三角形の安定翼形状を有する板材であり、トレミー管１０の外周に沿って少なくとも２枚設けられる。本実施形態では４枚の翼板１２ａがトレミー管１０の周方向に等間隔（９０°間隔）で設けられる。各翼板１２ａは、トレミー管１０の軸方向に沿って配置され、その上端がトレミー管１０の下端にリブ状に固定される。
【００５１】
本実施形態では、翼板１２ａの下面１２１ａ（押さえ面）により、かご底部を押さえることができ、トレミー管１０の下端はこの押さえ面１２１ａよりも上にある。またトレミー管１０の中心に関し対称となる位置にある一対の翼板１２ａの外側の端部同士の間隔Ｄは、かご底部の縦あるいは横に並んだ鋼材３１の間隔よりも大きく設定する。
【００５２】
ワイヤー１３ａを引張った状態では、図７（ａ）に示すようにスライド管１１ａの下端がトレミー管１０の下端より上にあるが、ワイヤー１３ａを緩めると、図７（ｂ）に示すようにスライド管１１ａが下降し、スリット１１１に翼板１２ａが通されて、スライド管１１ａの下端が翼板１２ａの押さえ面１２１ａよりも下方に突出した状態となる。
【００５３】
（２．杭の施工方法）
本実施形態では、前記と同様にかご３０を建て込んだ後、2次スライム処理工程（前記の図２（ｃ）に対応）において、図７（ｂ）に示したように、トレミー管１０をワイヤー１３ａを緩めた状態でかご３０内に挿入し、図８（ａ）に示すように翼板１２ａをかご底部の鋼材３１に乗せてかご底部を押さえ、スライド管１１ａの下端をかご底部の鋼材３１の間からかご底部の下方に突出させた状態で2次スライム処理を行う。スライド管１１ａの下端は孔底近傍にあり、スライド管１１ａの下端から孔底のスライムを吸い上げることができる。
【００５４】
数か所に分けてスライムの吸引を行った後、かご底部の中央付近にトレミー管１０を移動させ、図８（ｂ）に示すように、翼板１２ａでかご底部を押さえた状態で、ワイヤー１３ａを坑口から引張り、スライド管１１ａの下端をトレミー管１０の下端と同等以上に引き上げる。
【００５５】
この後は、前記と同様、プランジャをトレミー管１０内に装着しコンクリートの打込みを開始する。本実施形態では、プランジャが通常どおりトレミー管１０の下端から排出され、コンクリートもトレミー管１０の下端から問題なく排出される。コンクリートはかご底部よりも上方から排出され、またかご底部にはトレミー管１０の重量が預けられているので、かご３０の浮上りは生じない。
【００５６】
前記と同様、かご底部の上方の所定の打上がり高さ（図３（ｂ）参照）までコンクリートを打ち込んだ後、トレミー管１０を引き上げる。その際、ワイヤー１３ａの引張り等は特に不要である。この後も前記と同様にして所定高さまでコンクリートを打設することができる。
【００５７】
この第２の実施形態では、スライド管１１ａを下降させてその下端部をかご３０の底部から下方に位置させ、これをスライムの吸引口とできる。またスライド管１１ａを上昇させれば、かご底部を翼板１２ａで押えた状態でトレミー管１０の下端からコンクリートの打設を行うことができる。本実施形態ではトレミー管１０の下端が押さえ面１２１aの位置より上方にあり、かご底部より上方からコンクリートの排出を行うことができるので、かご３０の浮き上がり防止に寄与するとともに、プランジャが好適に排出できる。
【００５８】
［第３の実施形態］
(１．トレミー管構造１ｂ)
図９（ａ）は第３の実施形態に係るトレミー管構造１ｂを示す図である。図９（ａ）に示すように、第３の実施形態のトレミー管構造１ｂでは、トレミー管１０の内部に鋼管等のパイプ１５が挿入され、パイプ１５の下端に可撓管であるバキュームホース１５１(フレキシブルホース)が取付けられる。
【００５９】
トレミー管１０の下端部には、第２の実施形態と同様の翼板１２ａが取付けられる。バキュームホース１５１はトレミー管１０の下端から突出し、その先端を翼板１２ａの押さえ面１２１ａよりも下方とできる。
【００６０】
図９（ｂ）に示すように、パイプ１５の上端部には回転可能な接続部であるスイベルジョイント１５３が設けられる。パイプ１５はスイベルジョイント１５３を介して吸引ポンプと接続され、この状態でパイプ１５は周方向に回転自在である。本実施形態では、スイベルジョイント１５３を吊材１６で吊ってパイプ１５を支持しているが、スイベルジョイント１５３を地盤２０上に設けた架台（不図示）に仮固定したり、トレミー管１０に仮固定したりしてもよい。
【００６１】
（２．杭の施工方法）
本実施形態では、前記と同様にかご３０を建て込んだ後、2次スライム処理工程（前記の図２（ｃ）に対応）において、トレミー管１０をかご３０内に挿入し、翼板１２ａをかご底部の鋼材３１に乗せてかご底部を押さえる。そして、パイプ１５をトレミー管１０内に挿入し、図１０（ａ）に示すようにバキュームホース１５１をトレミー管１０の下端から突出させて鋼材３１の間からかご底部の下方へと延ばし、2次スライム処理を行う。このバキュームホース１５１の先端は孔底近傍にあり、その端部から孔底のスライムを吸い上げることができる。
【００６２】
トレミー管１０の位置は変えることなく、パイプ１５の挿入深度の調整とパイプ１５の回転により、図の点線に示すようにバキュームホース１５１の先端を移動でき、この先端を孔２１の底面全体に移動することで、まんべんなくスライムの吸引を行うことができる。バキュームホース１５１は、その可撓性から孔２１の底面に沿って緩やかに曲がる。バキュームホース１５１の長さは、孔２１の底面の外周近傍まで延び得る長さとする。
【００６３】
2次スライム処理終了後は、図１０（ｂ）に示すようにパイプ１５やバキュームホース１５１等をトレミー管１０から撤去し、第２の実施形態と同様、プランジャをトレミー管１０内にセットしてコンクリートを打設する。この間もトレミー管１０の重量は翼板１２ａによりかご底部に預けたままである。
【００６４】
本実施形態でも、プランジャが通常どおりトレミー管１０の下端から排出され、コンクリートもトレミー管１０の下端から問題なく排出される。コンクリートはかご底部よりも上方から排出され、またかご底部にはトレミー管１０の重量が預けられているので、かご３０の浮上りは生じない。以降の処理は第２の実施形態と略同様であるので説明を省略する。
【００６５】
この第３の実施形態では、トレミー管１０に挿入されたパイプ１５の下端のバキュームホース１５１をかご３０の底部から下方に位置させ、これをスライムの吸引口とできる。また、かご底部に鋼材３１が密に配置されている場合でも鋼材３１間にバキュームホース１５１を通して下方に延ばすことができ、パイプ１５の回転等により孔底のスライムをまんべんなく吸引できる。またパイプ１５等を撤去すれば、第２の実施形態と同様、かご底部を翼板１２ａで押えた状態でかご底部の上方からコンクリートの打設を行うことができ、かご３０の浮き上がり防止に寄与するとともに、プランジャが好適に排出できる。
【００６６】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６７】
１、１ａ、１ｂ；トレミー管構造
１０；トレミー管
１１、１１ａ；スライド管
１２、１２ａ；翼板
１３ａ、１３ｂ；ワイヤー
１５；パイプ
１６；吊材
２０；地盤
２１；孔
２２；泥水
３０；かご
３１；鋼材
４０；プランジャ
５０；コンクリート
１０１；開口
１１０；目隠し板
１１１；スリット
１２０；ピン
１２１、１２１ａ；押さえ面
１５１；バキュームホース
１５３；スイベルジョイント
【図１】
0006470671.tif 000002
【図２】
0006470671.tif 000003
【図３】
0006470671.tif 000004
【図４】
0006470671.tif 000005
【図５】
0006470671.tif 000006
【図６】
0006470671.tif 000007
【図７】
0006470671.tif 000008
【図８】
0006470671.tif 000009
【図９】
0006470671.tif 000010
【図１０】
0006470671.tif 000011
【図１１】
0006470671.tif 000012